(57)【要約】【課題】警報通知直後での意図しない操作を防止する。【解決手段】設備の異常を検出する異常検出部１０１と、異常検出部１０１により設備の異常が検出された場合に、当該設備の異常を示す警報画面を生成する警報画面生成部１０２と、警報通知として、警報画面生成部１０２により生成された警報画面を表示する警報画面表示部１０３と、警報画面表示部１０３により警報画面が表示されてから既定時間が経過した後、警報画面に対する操作要求を受付ける操作要求受付部１０４とを備え、警報画面表示部１０３は、操作要求受付部１０４により警報画面の表示停止要求が受付けられた場合に、当該警報画面の表示を停止する。【選択図】図１
2018041310.tif 000002
【特許請求の範囲】
【請求項１】
設備の異常を検出する異常検出部と、
前記異常検出部により設備の異常が検出された場合に、当該設備の異常を示す警報画面を生成する警報画面生成部と、
警報通知として、前記警報画面生成部により生成された警報画面を表示する警報画面表示部と、
前記警報画面表示部により警報画面が表示されてから既定時間が経過した後、警報画面に対する操作要求を受付ける操作要求受付部とを備え、
前記警報画面表示部は、前記操作要求受付部により警報画面の表示停止要求が受付けられた場合に、当該警報画面の表示を停止する
ことを特徴とする監視装置。
【請求項２】
前記警報画面生成部は、前記異常検出部により検出された異常のレベルに応じ、警報画面における背景色を変える
ことを特徴とする請求項１記載の監視装置。
【請求項３】
前記警報画面表示部は、前記警報画面生成部により生成された警報画面をスライドさせながら表示する
ことを特徴とする請求項１又は請求項２記載の監視装置。
【請求項４】
前記警報画面生成部により生成された警報画面を記憶する警報画面記憶部と、
前記操作要求受付部により警報画面の一覧表示要求が受付けられた場合に、前記警報画面記憶部に記憶された警報画面の一覧を表示する警報履歴表示部とを備えた
ことを特徴とする請求項１から請求項３のうちのいずれか１項記載の監視装置。
【請求項５】
前記警報画面生成部により生成された警報画面を記憶する警報画面記憶部を備え、
前記警報画面表示部は、前記操作要求受付部により警報画面の表示切替え要求が受付けられた場合に、前記警報画面記憶部に記憶された該当する警報画面を抽出して表示の切替えを行う
ことを特徴とする請求項１から請求項４のうちのいずれか１項記載の監視装置。
【請求項６】
前記異常検出部により設備の異常が検出された場合に、当該設備の異常を示す警報音を生成する警報音生成部と、
警報通知として、前記警報画面表示部による警報画面の表示とともに、前記警報音生成部により生成された警報音を出力する警報音出力部とを備え、
前記操作要求受付部は、前記警報音出力部により警報音が出力されてから前記既定時間が経過した後、警報音に対する操作要求を受付け、
前記警報音出力部は、前記操作要求受付部により警報音の出力停止要求が受付けられた場合に、当該警報音の出力を停止する
ことを特徴とする請求項１から請求項５のうちのいずれか１項記載の監視装置。
【請求項７】
前記操作要求受付部は、警報音の出力停止要求を受付けるまでの間は、警報画面の表示停止要求は受付けない
ことを特徴とする請求項６記載の監視装置。
【請求項８】
前記警報音出力部により警報音が出力されている状態において、前記異常検出部により新たな異常が検出された場合に、当該警報音における異常のレベルと当該新たな異常のレベルとを比較するレベル比較部を備え、
前記警報音生成部は、前記レベル比較部により新たな異常のレベルの方が高いと判定された場合に、当該レベルに対応する警報音を生成する
ことを特徴とする請求項６又は請求項７記載の監視装置。
【発明の詳細な説明】
【技術分野】
【０００１】
この発明は、設備の異常を検出した場合に警報通知を行う監視装置に関する。
【背景技術】
【０００２】
従来から、監視装置は、ビル、工場又はプラント等の施設内に設置された設備の動作及び状態を監視している。そして、監視装置は、設備の異常を検出すると、端末装置に対して警報画面の表示又は警報音の出力を行うことで、警報通知を行っている（例えば特許文献１参照）。
【先行技術文献】
【特許文献】
【０００３】
【特許文献１】特開２０１０−２０４７２３号公報
【発明の概要】
【発明が解決しようとする課題】
【０００４】
しかしながら、端末装置では、警報通知が突然行われるため、偶然、警報通知前のユーザ操作（クリック等）が警報通知に対する操作となってしまう場合があり、誤操作に繋がる。例えば、警報画面を意図せず閉じてしまったり、警報音を意図せず消してしまったりする恐れがある。
【０００５】
この発明は、上記のような課題を解決するためになされたもので、警報通知直後での意図しない操作を防止できる監視装置を提供することを目的としている。
【課題を解決するための手段】
【０００６】
この発明に係る監視装置は、設備の異常を検出する異常検出部と、異常検出部により設備の異常が検出された場合に、当該設備の異常を示す警報画面を生成する警報画面生成部と、警報通知として、警報画面生成部により生成された警報画面を表示する警報画面表示部と、警報画面表示部により警報画面が表示されてから既定時間が経過した後、警報画面に対する操作要求を受付ける操作要求受付部とを備え、警報画面表示部は、操作要求受付部により警報画面の表示停止要求が受付けられた場合に、当該警報画面の表示を停止することを特徴とする。
【発明の効果】
【０００７】
この発明によれば、上記のように構成したので、警報通知直後での意図しない操作を防止できる。
【図面の簡単な説明】
【０００８】
【図１】この発明の実施の形態１に係る監視装置を備えた監視システムの構成例を示す図である。
【図２】この発明の実施の形態１に係る監視装置の動作例を示すフローチャート図である。
【図３】この発明の実施の形態１における警報画面生成部により生成される警報画面の一例を示す図である。
【図４】この発明の実施の形態２に係る監視装置を備えた監視システムの構成例を示す図である。
【図５】この発明の実施の形態２における警報画面生成部により生成される警報画面の一例を示す図である。
【図６】この発明の実施の形態３に係る監視装置を備えた監視システムの構成例を示す図である。
【図７】この発明の実施の形態３における警報画面生成部により生成される警報画面の一例を示す図である。
【図８】この発明の実施の形態４に係る監視装置を備えた監視システムの構成例を示す図である。
【発明を実施するための形態】
【０００９】
以下、この発明の実施の形態について図面を参照しながら詳細に説明する。
実施の形態１．
図１はこの発明の実施の形態１に係る監視装置１を備えた監視システムの構成例を示す図である。
監視システムは、図１に示すように、監視装置１及び端末装置２を備えている。
監視装置１は、ビル、工場又はプラント等の施設内に設置された設備（不図示）の動作及び状態を監視する。そして、監視装置１は、設備の異常を検出した場合には、当該設備の異常を示す警報通知を端末装置２に対して行う。また、端末装置２は、監視装置１からの指示に従い各種画面の表示及び各種音声の出力を行う。図１では、端末装置２は、監視装置１の外部に設けられているが、監視装置１に内蔵されていてもよい。
【００１０】
監視装置１は、警報通知に関する機能として、図１に示すように、異常検出部１０１、警報画面生成部１０２、警報画面表示部１０３及び操作要求受付部１０４を備えている。この監視装置１は、システムＬＳＩ等の処理回路や、メモリ等に記憶されたプログラムを実行するＣＰＵ等により実現される。
【００１１】
異常検出部１０１は、設備の異常を検出する。
警報画面生成部１０２は、異常検出部１０１により設備の異常が検出された場合に、当該設備の異常を示す警報画面を生成する。
【００１２】
警報画面表示部１０３は、警報通知として、警報画面生成部１０２により生成された警報画面を、端末装置２の画面上に表示する。また、警報画面表示部１０３は、操作要求受付部１０４により警報画面の表示停止要求が受付けられた場合に、当該警報画面の表示を停止する。
【００１３】
操作要求受付部１０４は、警報画面表示部１０３により警報画面が表示されてから既定時間（例えば１秒）が経過した後、警報画面に対する操作要求（実施の形態１では警報画面の表示停止要求）を受付ける。
【００１４】
次に、実施の形態１に係る監視装置１の動作例について、図１〜３を参照しながら説明する。
監視装置１の動作例では、図２に示すように、まず、異常検出部１０１は、設備の異常を検出したかを判定する（ステップＳＴ２０１）。この異常検出部１０１による異常検出処理は従来と同様であり、その説明を省略する。このステップＳＴ２０１において、異常検出部１０１が設備の異常を検出していないと判定した場合には、シーケンスはステップＳＴ２０１に戻り、待機状態となる。
【００１５】
一方、ステップＳＴ２０１において、異常検出部１０１が設備の異常を検出したと判定した場合には、警報画面生成部１０２は、当該設備の異常を示す警報画面を生成する（ステップＳＴ２０２）。図３は、警報画面生成部１０２により生成される警報画面の一例を示す図である。図３に示す警報画面では、警報内容を示す情報（異常が発生した設備に関する情報、当該異常に関する情報）３０１と、警報画面の表示を停止するための表示停止ボタン（「閉じる」ボタン）３０２が表示されている。また、警報画面生成部１０２は、図３に示すように、異常検出部１０１により検出された異常のレベルに応じ、警報画面における背景色を変えてもよい。
【００１６】
次いで、警報画面表示部１０３は、警報通知として、警報画面生成部１０２により生成された警報画面を、端末装置２の画面上に表示する（ステップＳＴ２０３）。この際、警報画面表示部１０３は、警報画面を、個別ウィンドウで表示してもよいし、既に表示されているウィンドウの一部の領域に表示してもよい。
【００１７】
また、警報画面表示部１０３は、警報画面を個別ウィンドウで表示する場合には、当該警報画面を端末装置２の画面上の最前面に表示し、且つ、他のウィンドウからフォーカスは奪わないようにする。すなわち、警報通知にフォーカスを突然移してしまうと、その直前のユーザ操作が警報画面に対する誤操作に繋がる恐れがあり、これを回避する。
【００１８】
また、警報画面表示部１０３は、警報画面をスライドさせながら表示してもよい。例えば、警報画面をウィンドウの一部の領域に表示する場合に、当該ウィンドウの最上部に設けられたインジケータの下側から徐々に警報画面が現れるようにしてもよい。すなわち、警報画面が突然表示されると、ユーザを驚かせてしまう恐れがあり、冷静な判断を妨げる恐れがあるため、これを回避する。
【００１９】
次いで、操作要求受付部１０４は、警報画面表示部１０３により警報画面が表示された後、既定時間を経過したかを判定する（ステップＳＴ２０４）。
【００２０】
このステップＳＴ２０４において、操作要求受付部１０４は、警報画面が表示された後、既定時間を経過していないと判定した場合には、警報画面に対する操作要求は受付けず、シーケンスはステップＳＴ２０４に戻る。すなわち、警報画面が表示された後、既定時間を経過するまでは、ユーザにより図３に示す警報画面上の表示停止ボタン３０２が押されたとしても、操作要求受付部１０４はその操作要求を受付けず、警報画面は閉じられない。
このように、警報画面が表示されてから既定時間が経過するまでの間は警報画面に対する操作要求を受付けないことで、警報通知に対する誤操作を回避できる。
【００２１】
一方、ステップＳＴ２０４において、操作要求受付部１０４は、警報画面が表示された後、既定時間を経過したと判定した場合には、警報画面に対する操作要求を受付ける（ステップＳＴ２０５）。
その後、ユーザにより図３に示す警報画面上の表示停止ボタン３０２が押され、操作要求受付部１０４が警報画面の表示停止要求を受付けた場合には、警報画面表示部１０３は、当該警報画面の表示を停止する（ステップＳＴ２０６）。
【００２２】
以上のように、この実施の形態１によれば、設備の異常を検出する異常検出部１０１と、異常検出部１０１により設備の異常が検出された場合に、当該設備の異常を示す警報画面を生成する警報画面生成部１０２と、警報通知として、警報画面生成部１０２により生成された警報画面を表示する警報画面表示部１０３と、警報画面表示部１０３により警報画面が表示されてから既定時間が経過した後、警報画面に対する操作要求を受付ける操作要求受付部１０４とを備え、警報画面表示部１０３は、操作要求受付部１０４により警報画面の表示停止要求が受付けられた場合に、当該警報画面の表示を停止するように構成したので、警報通知直後での意図しない操作を防止できる。
【００２３】
実施の形態２．
実施の形態１では、端末装置２に現在の警報画面のみを表示する場合を示した。それに対して、実施の形態２では、過去の警報通知を表示可能とする構成を示す。
図４はこの発明の実施の形態２に係る監視装置１を備えた監視システムの構成例を示す図である。この図４に示す実施の形態２に係る監視装置１では、図１に示す実施の形態１に係る監視装置１に対し、警報画面記憶部１０５及び警報履歴表示部１０６を追加している。その他の構成は同様であり、同一の符号を付して異なる部分についてのみ説明を行う。
【００２４】
警報画面記憶部１０５は、警報画面生成部１０２により生成された警報画面を記憶する。この警報画面記憶部１０５は、ＨＤＤ、ＤＶＤ、メモリ等によって構成される。
警報履歴表示部１０６は、操作要求受付部１０４により警報画面の一覧表示要求が受付けられた場合に、警報画面記憶部１０５に記憶された警報画面の一覧を、端末装置２の画面上に表示する。
【００２５】
また、実施の形態２における警報画面表示部１０３では、操作要求受付部１０４により警報画面の表示切替え要求が受付けられた場合に、警報画面記憶部１０５に記憶された該当する警報画面を抽出して表示の切替えを行う。
【００２６】
例えば、実施の形態２における警報画面では、図５に示すように、図３に示す警報画面に対し、現在表示されている警報画面を警報画面記憶部１０５に記憶された別の警報画面へ切替えるための切替えボタン３０３、警報画面の件数を示す情報３０４、警報画面記憶部１０５に記憶された警報画面を一覧表示するための履歴ボタン３０５も表示されている。なお図５では、切替えボタン３０３は、現在表示されている警報画面に対して前後の警報画面へ切替え可能としている。
【００２７】
そして、ユーザにより切替えボタン３０３が押され、操作要求受付部１０４が警報画面の表示切替え要求を受付けると、警報画面表示部１０３は、警報画面記憶部１０５から該当する警報画面を抽出して表示の切替えを行う。
また、ユーザにより履歴ボタン３０５が押され、操作要求受付部１０４が警報画面の一覧表示要求を受付けると、警報履歴表示部１０６は、警報画面記憶部１０５に記憶された警報画面の一覧を表示する。
【００２８】
このように、過去の警報通知を表示可能とすることで、設備に発生する異常の傾向が把握し易くなる。
【００２９】
なお上記では、監視装置１が、警報履歴表示部１０６による警報画面の一覧表示機能と、警報画面表示部１０３による警報画面の表示切替え機能とを両方有する場合を示した。しかしながら、これに限らず、監視装置１が、上記両機能のうちの一方の機能のみを有していてもよい。
【００３０】
実施の形態３．
実施の形態１では、警報通知として警報画面を表示する場合を示した。それに対して、実施の形態３では、警報通知として、警報画面の表示に加え、警報音の出力を行う構成を示す。
図６はこの発明の実施の形態３に係る監視装置１を備えた監視システムの構成例を示す図である。この図６に示す実施の形態３に係る監視装置１では、図１に示す実施の形態１に係る監視装置１に対し、警報音生成部１０７及び警報音出力部１０８を追加している。その他の構成は同様であり、同一の符号を付して異なる部分についてのみ説明を行う。
【００３１】
警報音生成部１０７は、異常検出部１０１により設備の異常が検出された場合に、当該設備の異常を示す警報音を生成する。
警報音出力部１０８は、警報通知として、警報画面表示部１０３による警報画面の表示とともに、警報音生成部１０７により生成された警報音を、端末装置２から出力する。また、警報音出力部１０８は、操作要求受付部１０４により警報音の出力停止要求が受付けられた場合に、当該警報音の出力を停止する。
なお、実施の形態３における操作要求受付部１０４は、実施の形態１における機能に加え、警報音出力部１０８により警報音が出力されてから上記既定時間が経過した後、警報音に対する操作要求（警報音の出力停止要求）を受付ける。また、操作要求受付部１０４は、警報音の出力停止要求を受付けるまでの間は、警報画面の表示停止要求は受付けないようにしてもよい。
【００３２】
例えば、実施の形態３における警報画面では、図７に示すように、図３に示す警報画面に加え、警報音が出力されている警報画面であることを示す情報３０６、警報音の出力を停止するための出力停止ボタン３０７も表示されている。なお図７に示す警報画面では、ユーザにより出力停止ボタン３０７が押されて警報音の出力が停止すると、出力停止ボタン３０７に代えて、警報画面の表示を停止するための表示停止ボタン（「閉じる」ボタン）３０２が表示されるように構成されている。
【００３３】
警報画面の表示及び警報音の出力から既定時間が経過した後、ユーザにより出力停止ボタン３０７が押され、操作要求受付部１０４が警報音の出力停止要求を受付けると、警報音出力部１０８は、当該警報音の出力を停止する。その後、警報画面上では、出力停止ボタン３０７が非表示となり、代わりに表示停止ボタン３０２が表示される。
そして、ユーザにより表示停止ボタン３０２が押され、操作要求受付部１０４が警報画面の表示停止要求を受付けると、警報画面表示部１０３は、当該警報画面の表示を停止する。
【００３４】
このように、警報通知として、警報画面の表示に加え、警報音の出力を行うようにしても、警報通知が行われた後（警報画面の表示及び警報音の出力がされた後）、既定時間が経過するまでは、当該警報通知に対する操作要求を受付けないため、当該警報通知に対する誤操作を回避できる。また、警報画面に出力停止ボタン３０７を表示することで、ユーザは、警報音の確認後、直ぐに警報音を停止させることができる。
【００３５】
なお上記では、図１に示す実施の形態１に係る監視装置１に警報音の出力機能を追加した場合を示した。しかしながら、これに限らず、図４に示す実施の形態２に係る監視装置１に警報音の出力機能を追加してもよい。
【００３６】
実施の形態４．
図８はこの発明の実施の形態４に係る監視装置１を備えた監視システムの構成例を示す図である。この図８に示す実施の形態４に係る監視装置１では、図６に示す実施の形態３に係る監視装置１に対し、レベル比較部１０９を追加している。その他の構成は同様であり、同一の符号を付して異なる部分についてのみ説明を行う。
【００３７】
レベル比較部１０９は、警報音出力部１０８により警報音が出力されている状態において、異常検出部１０１により新たな異常が検出された場合に、当該警報音における異常のレベルと当該新たな異常のレベルとを比較する。
また、実施の形態４における警報音生成部１０７では、レベル比較部１０９により新たな異常のレベルの方が高いと判定された場合に、当該レベルに対応する警報音を生成する。
【００３８】
例えば、警報音出力部１０８により警報音が出力されている状態において、異常検出部１０１により新たな異常が検出されたとする。この場合、レベル比較部１０９は、上記警報音における異常のレベルと、新たな異常のレベルを比較する。そして、新たな異常のレベルの方が出力されている警報音における異常のレベルより高い場合には、警報音生成部１０７は、新たな異常のレベルに対応する警報音を生成する。そして、警報音出力部１０８は、警報音生成部１０７により新たに生成された警報音を出力する。一方、出力されている警報音における異常のレベルの方が新たな異常のレベルより高い場合には、警報音生成部１０７は新たな警報音の生成は行わず、警報音出力部１０８は現在出力している警報音の出力を継続する。
なお、警報画面生成部１０２は、通常通り、新たな異常を示す警報画面を生成し、警報画面表示部１０３は、この新たな警報画面を表示する。
【００３９】
このように、現在の警報音における異常のレベルと、新たに発生した異常のレベルとを比較し、新たな異常のレベルの方が高い場合には、警報音を変更し且つ警報画面の内容を変更し、そうでない場合には、出力中の警報音のまま警報画面の内容のみを変更する。これにより、新たに発生した異常のレベルを把握させ易くなる。
【００４０】
なお上記では、警報画面に各種ボタン（表示停止ボタン３０２、切替えボタン３０３、履歴ボタン３０５、出力停止ボタン３０７）を表示し、操作要求受付部１０４はユーザによる操作要求（表示停止要求、表示切替え要求、一覧表示要求、出力停止要求）を受付ける場合を示した。しかしながら、これに限らず、警報画面には上記ボタンは表示せず、操作要求受付部１０４は、その他の方法（予め決められた特定のキーを入力する等）によりユーザによる操作要求を受付けるようにしてもよい。
【００４１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４２】
１  監視装置
２  端末装置
１０１  異常検出部
１０２  警報画面生成部
１０３  警報画面表示部
１０４  操作要求受付部
１０５  警報画面記憶部
１０６  警報履歴表示部
１０７  警報音生成部
１０８  警報音出力部
１０９  レベル比較部
【図１】
2018041310.tif 000003
【図２】
2018041310.tif 000004
【図３】
2018041310.tif 000005
【図４】
2018041310.tif 000006
【図５】
2018041310.tif 000007
【図６】
2018041310.tif 000008
【図７】
2018041310.tif 000009
【図８】
2018041310.tif 000010